(57)【要約】【課題】表示片を剥がす作業や取り付ける作業の作業性を高めたカードおよびそれを用いるスイッチを提供する。【解決手段】カード１は、アート紙のような基材１１の一面に密着性を有する第１樹脂層１２が形成された台紙１０と、一面に密着性を有する第２樹脂層２３が形成されるとともに、他面に印字可能な印字層２１が形成され、第２樹脂層２３を第１樹脂層１２に密着させることで剥離可能な状態で台紙１０に取着されるシート２０とで構成される。シート２０には、所望の大きさに形成され、外周に切れ目２５を設けて他の部位と分離された表示片２４を複数設けてあり、各表示片２４にはスイッチの用途を示す文字が市販のプリンタを用いて予め印字してある。【選択図】図１
2006184314.tif 000002
【特許請求の範囲】
【請求項１】
少なくとも一方の面に密着性を有する第１樹脂層が形成された台紙と、
一面に密着性を有する第２樹脂層が形成されるとともに、他面に印字可能な印字層が形成され、前記第２樹脂層を前記第１樹脂層に密着させることで剥離可能な状態で前記台紙に取着されるシートとを含み、
前記シートに、所望の大きさに形成され、外周に切れ目を設けて他の部位と分離された表示片を設けたことを特徴とするカード。
【請求項２】
前記シートには前記表示片が複数設けられ、各表示片の大きさは、埋込型配線器具用に規格化された取付枠を用いて造営面に埋込配設されるスイッチの操作ハンドルに設けられたカード収納部に収納可能な大きさに形成されており、複数の前記表示片には、前記スイッチの複数種類の用途の何れかを示す文字が前記印字層にそれぞれ印字されて成ることを特徴とする請求項１記載のカード。
【請求項３】
内部に接点機構を収納し、埋込型配線器具用に規格化された取付枠を用いて造営面に埋込配設されるスイッチ本体と、前記スイッチ本体の機能面に揺動自在に設けられて前記接点機構のオン／オフ操作を行う操作ハンドルと、請求項２記載のカードから剥離された表示片とを備え、前記操作ハンドルの背面に、前記表示片を収納するカード収納部と、該カード収納部を開閉自在に閉塞する扉とを設けるとともに、前記操作ハンドルの前面に前記カード収納部に収納された表示片を前面より目視可能とする透明な窓部を設けたことを特徴とするスイッチ。
【発明の詳細な説明】
【技術分野】
【０００１】
本発明は、カードおよびそれを用いるスイッチに関するものである。
【背景技術】
【０００２】
従来より、例えば埋込配線型のスイッチの使用用途を表示するために使用されるカードが提供されている。このカードは、一面に粘着層が形成されたシートと、一面に剥離層が形成された台紙とで構成され、粘着層を剥離層に貼り付けることによって、剥離可能な状態でシートを台紙に貼り付けてある。シートにはスイッチの操作ハンドルに設けたカード収納部に取り付けられる矩形の表示片が複数形成されており、各々の表示片にはスイッチの用途を示す文字（例えば門灯、ポーチ、洗面所、和室、台所など）が印刷されている。各表示片の大きさはスイッチ収納部に収納可能な大きさに形成され、表示片の周囲に切れ目を設けることで他の部位と分離してあり、所望の用途の表示片を台紙から剥がした後、操作ハンドルのカード収納部に取り付けて使用していた（例えば、特許文献１参照）。
【特許文献１】特開２００３−３１７５６２号公報
【発明の開示】
【発明が解決しようとする課題】
【０００３】
上述のカードでは、シートに粘着層が形成されているので、台紙から表示片を剥がす際や、剥がした表示片を操作ハンドルのカード収納部に取り付ける際に、表示片が手に貼り付いてしまい、作業性が悪かった。また、このような従来のカードを用いるスイッチでも、操作ハンドルのカード収納部に表示片を取り付ける際や、スイッチの用途変更に応じてカード収納部から表示片を取り出す際に、表示片が手や操作ハンドルなどに貼り付いてしまい、表示片の取付作業や取替作業の作業性が悪かった。
【０００４】
本発明は上記問題点に鑑みて為されたものであり、その目的とするところは、表示片を剥がす作業や取り付ける作業の作業性を高めたカードおよびそれを用いるスイッチを提供することにある。
【課題を解決するための手段】
【０００５】
上記目的を達成するために、請求項１の発明は、少なくとも一方の面に密着性を有する第１樹脂層が形成された台紙と、一面に密着性を有する第２樹脂層が形成されるとともに、他面に印字可能な印字層が形成され、第２樹脂層を第１樹脂層に密着させることで剥離可能な状態で台紙に取着されるシートとを含み、シートに、所望の大きさに形成され、外周に切れ目を設けて他の部位と分離された表示片を設けたことを特徴とする。
【０００６】
この発明によれば、第２樹脂層と第１樹脂層とを密着させることでシートが台紙に取着されており、シート自体は粘着性を有していないので、切れ目で他の部位から分離された表示片を台紙から剥がす際や、剥がした表示片を所望の場所に取り付ける際に、表示片が手に貼り付くことがなく、作業性が良いという効果がある。また、シート自体が粘着性を有していないので、表示片を剥がす際に強い力を加える必要がなく、シートに強い力が加えて表示片を変形させてしまうのを防止できる。また、シートの他面には印字層が形成されているので、市販のプリンタを用いて必要な表示内容のものを簡単に作成できるという効果もある。
【０００７】
請求項２の発明は、請求項１の発明において、シートには表示片が複数設けられ、各表示片の大きさは、埋込型配線器具用に規格化された取付枠を用いて造営面に埋込配設されるスイッチの操作ハンドルに設けられたカード収納部に収納可能な大きさに形成されており、複数の表示片には、スイッチの複数種類の用途の何れかを示す文字が印字層にそれぞれ印字されて成ることを特徴とする。
【０００８】
この発明によれば、シートに、スイッチの操作ハンドルに設けたカード収納部に収納可能な大きさに形成された表示片を複数設け、各々の表示片の印字層には、スイッチの複数種類の用途の何れかを示す文字が印字されているので、１枚のシートに予め決められた内容の表示片を複数作成することができる。
【０００９】
請求項３の発明はスイッチであって、内部に接点機構を収納し、埋込型配線器具用に規格化された取付枠を用いて造営面に埋込配設されるスイッチ本体と、スイッチ本体の機能面に揺動自在に設けられて接点機構のオン／オフ操作を行う操作ハンドルと、請求項２記載のカードから剥離された表示片とを備え、操作ハンドルの背面に、表示片を収納するカード収納部と、該カード収納部を開閉自在に閉塞する扉とを設けるとともに、操作ハンドルの前面にカード収納部に収納された表示片を前面より目視可能とする透明な窓部を設けたことを特徴とする。
【００１０】
この発明によれば、請求項２に記載のカードから剥離された表示片を用いているので、カードの台紙から表示片を剥がす際や、剥がした表示片を操作ハンドルのカード収納部に取り付ける際や、スイッチの用途変更に応じて操作ハンドルのカード収納部から表示片を取り出す際に、表示片が手や操作ハンドルの扉などに貼り付くことがなく、表示片の取付作業や取替作業の作業性を高めたスイッチを提供することができる。
【発明の効果】
【００１１】
請求項１の発明によれば、第２樹脂層と第１樹脂層とを密着させることでシートが台紙に取着されており、シート自体は粘着性を有していないので、切れ目で他の部位から分離された表示片を台紙から剥がす際や、剥がした表示片を所望の場所に取り付ける際に、表示片が手に貼り付くことがなく、作業性が良いという効果がある。また、シート自体が粘着性を有していないので、表示片を剥がす際に強い力を加える必要がなく、シートに強い力が加えて表示片を変形させてしまうのを防止できる。また、シートの他面には印字層が形成されているので、市販のプリンタを用いて必要な表示内容のものを簡単に作成できるという効果もある。
【００１２】
また請求項３の発明によれば、請求項２に記載のカードから剥離された表示片を用いているので、カードの台紙から表示片を剥がす際や、剥がした表示片を操作ハンドルのカード収納部に取り付ける際や、スイッチの用途変更に応じて操作ハンドルのカード収納部から表示片を取り出す際に、表示片が手や操作ハンドルの扉などに貼り付くことがなく、表示片の取付作業や取替作業の作業性を高めたスイッチを提供することができる。
【発明を実施するための最良の形態】
【００１３】
以下に本発明の実施の形態を図面に基づいて説明する。
【００１４】
図１（ａ）は本実施形態のカード１の正面図であり、カード１は台紙１０とシート２０とで構成される。
【００１５】
台紙１０は、例えばアート紙からなる矩形の基材１１の一面に、黒色のポリエチレンフィルムからなる第１樹脂層１２を形成して構成される。
【００１６】
シート２０は、台紙１０と略同じ大きさの矩形の紙（例えば王子製紙（株）の製品名「マシュマロＣｏＣ」）からなり、インクジェットプリンタやレーザプリンタや熱転写プリンタなどの市販のプリンタで印字可能な印字層２１と、印字層２１の裏面に形成されたアクリル系の粘着剤からなる粘着層２２と、ウレタン系樹脂により印字層２１と略同じ大きさ・形状に形成され、印字層２１の裏面に粘着層２２を介して貼り付けられた第２樹脂層２３との３層構造を有している。
【００１７】
このシート２０には矩形の表示片２４が３列に並べて複数個（例えば１２個×３列）形成してある。各表示片２４は後述する操作ハンドル３４のカード収納部３５に収納可能な大きさに形成されている。各表示片２４の外周にはシート２０を厚み方向に貫通する切れ目２５が形成され、他の部位と分離可能にしてある。そして各表示片２４の印字層２１には、後述するスイッチ３０の複数種類の用途の内何れかの用途を示す文字がプリンタを用いて印字されている。例えば本実施形態では、左側の列の表示片２４に「換気扇  強弱切替」という文字が印字され、中央の列の表示片２４に「玄関」という文字が印字され、右側の列の表示片２４に「ホール」という文字が印字されている。
【００１８】
そしてシート２０は、第１樹脂層１２および第２樹脂層２３を互いに密着させることで、剥離可能な状態で台紙１０の表面に取り付けられる。ここで、第１樹脂層１２と第２樹脂層２３とが剥離可能な状態で密着する理由としては以下の２つの理由が考えられる。すなわち、第１樹脂層１２がポリエチレンフィルムで形成されると共に、第２樹脂層２３がウレタン系樹脂で形成されており、何れの樹脂層１２，２３も電気的に見て絶縁性の高い材料で形成されているので、静電気を帯びやすい傾向があり、両樹脂層１２，２３がそれぞれ静電気を帯びることで、互いに吸引し合って密着すると考えられる。また第１樹脂層１２および第２樹脂層２３の製造工程ではイオン重合という処理を行っており、高分子材料ではその表面の一部がイオン重合の際に他の原子などに置き換えられるため、イオン化傾向が大きくなるという特徴があり、その結果他の物質を引き付けやすくなると考えられる。つまり、第１樹脂層１２および第２樹脂層２３は、両方共に、絶縁性が高くイオン化傾向の大きい材料により形成されているので、互いに引き寄せ合う力が強く、両樹脂層１２，２３を重ね合わせると、両樹脂層１２，２３が密着するのである。
【００１９】
また各表示片２４（シート２０）には従来のように粘着層が設けられておらず、上記両樹脂層１２，２３の密着性を利用して台紙１０に取り付けているので、表示片２４を台紙１０から剥がす際や、台紙１０から剥がした表示片２４を後述の操作ハンドル３４に取り付ける際に、表示片２４が手に貼り付くことがなく、作業性が向上する。また台紙１０を曲げて表示片２４の一端を台紙１０から浮かせれば、両樹脂層１２，２３が互いを吸引する力が大きく減衰するので、従来のように表示片２４に粘着層を設けている場合に比べて、表示片２４を小さい力で容易に剥がすことができ、大きな力が台紙１０に加えられて表示片２４を変形させてしまうこともない。尚、図１中の斜線部は表示片２４を剥がした後の部位を示し、この部位から台紙２０が露出している。
【００２０】
次に上記の表示片２４を用いるスイッチ３０について図２および図３を参照して説明する。スイッチ３０は、図２（ａ）（ｂ）に示すように、内部に接点機構（図示せず）を収納し、機能面に接点機構のオン／オフを切り替えるための押釦３３が設けられたスイッチ本体３１と、スイッチ本体３１の機能面に形成された軸３２に揺動自在に枢支され、揺動操作に応じて押釦３３を裏面で押動する合成樹脂製の操作ハンドル３４とを備える。
【００２１】
スイッチ３０のスイッチ本体３１は、埋込型の配線器具用に規格化された取付枠４０を用いて壁面などの造営面に埋込配設される。取付枠４０は細長の取付窓４０ａを有し、この取付窓４０ａの長手方向に沿った上、中、下の各取付位置にスイッチ本体３１を３個まで取り付けることができる。取付枠４０の前面側には、取付枠４０の取付窓４０ａよりも長寸かつ幅広の開口窓を備えるプレート４１（プレート枠４２と化粧プレート４３からなる）が重ね合わせて配置される。プレート枠４２は矩形枠状であって、短幅方向に沿う両側片にプレートねじ用の挿通孔４２ａ，４２ａを設けてあり、挿通孔４２ａ，４２ａに挿通したプレートねじ４４，４４を取付枠４０のねじ孔４０ｂ，４０ｂに螺入することでプレート枠４２が取付枠４０の前面側に取り付けられる。また、プレート枠４２の長手方向に沿う両側片には係止孔４２ｂが３個ずつ形成されており、化粧プレート４３の裏面から突出する係止爪（図示せず）を係止孔４２ｂに係止させることで、化粧プレート４３がプレート枠４２の前面側に装着される。
【００２２】
また、操作ハンドル３４の背面には、図３（ｂ）（ｃ）に示すように、上下方向の略中央部を凹設することによって、上述の表示片２４を収納するカード収納部３５が設けられ、このカード収納部３５は扉３６によって開閉自在に閉塞されている。扉３６は、一端部の両側に軸体３７，３７を突設し、この軸体３７，３７をカード収納部３５の一端部の両側に設けた軸受部（図示せず）に回動自在に嵌め込んで、軸受部を中心に回動することでカード収納部３５を開閉できるようになっている。また扉３６の他端部の両側には突起３８，３８が設けられ、この突起３８，３８はカード収納部３５の他端部の両側に形成した係合部（図示せず）に圧入係合することで、扉３６が閉じた状態を保持するようになっている。また操作ハンドル３４の前面には、カード収納部３５に対応する部位を透明な樹脂で形成することで、カード収納部３５に収納された表示片２４を前面より目視可能とする透明な窓部３９を設けてある。
【００２３】
而して、上記の表示片２４をカード収納部３５に収納する場合には、先ず図３（ａ）に示すように取付枠４０からプレート４１を外した状態で、操作ハンドル３４の操作側（軸３２で枢支された側と反対側）を手前側に引っ張って、操作ハンドル３４をスイッチ本体３１から取り外す。次に同図（ｂ）に示すように扉３６を起こして、カード収納部３５を開放した後、同図（ｃ）のように表示片２４を印字層２１を下向きにしてカード収納部３５内に挿入して、扉３６を閉じる。この時、表示片２４がカード収納部３５の底面と扉３６との間に挟持され、操作ハンドル３４前面の窓部３９から表示片２４に印字された文字などを視認できることになる。なお、扉３６を閉じれば、扉３６の突起３８がカード収納部３５の係合部と圧入係合することで、扉３６が閉じた状態を保持するので、カード収納部３５から脱落することはない。また表示片２４を取り外す際には、扉３６を起こして、カード収納部３５を開放すれば、表示片２４を容易に取り外すことができる。そして、カード収納部３５に表示片２４を収めた後、操作ハンドル２４をスイッチ本体１の軸１２に軸支させ、取付枠４０にプレート枠４１を取り付ければ、表示片２４の組込作業が完了する。
【００２４】
このスイッチ３０では、上述のカード１から剥離された表示片２４を用いているので、カード１の台紙１０から表示片２４を剥がす際や、剥がした表示片２４を操作ハンドル３４のカード収納部３５に取り付ける際や、スイッチ３０の用途変更に応じてカード収納部３５から表示片２４を取り出す際に、表示片２４が手や操作ハンドル３４の扉３６などに貼り付くことがなく、表示片２４の取付作業や取替作業の作業性を高めたスイッチ３０を実現できる。
【００２５】
ここに本実施形態では、各表示片２４の印字層２１に、スイッチ３０の用途を示す文字がプリンタを用いて予め印字されており、必要な表示内容で必要な枚数を作成しておくことで、スイッチ用のカードとして都合良く使用することができ、無駄な表示内容のものを少なくできる。
【００２６】
なお本実施形態ではシート２０の印字層２１に用途を示す文字を予め印字しているが、工場出荷時には印字層２１に何も印字せずに、ユーザに印刷ソフトを提供して、ユーザ側で所望の内容を印字層２１に印字するようにしても良い。この印刷ソフトは、一般的なパーソナルコンピュータにインストールされて使用されるものであり、印字内容を入力する機能、入力された印字内容をシート２０の規定の位置に割り付ける機能、プリンタに印字データを出力してカード１に印字させる機能を少なくとも備えている。このように、ユーザに提供した印字ソフトを利用してユーザが市販のプリンタで所望の印字内容を印字できるようにすれば、ユーザが自分の好みに合った内容を印字させることができ、例えばスイッチを取り付ける部屋のイメージに合わせた文字、絵記号、写真などを表示片２４に印字できる。また高齢者など視力の低下した人でも、見やすい大きさ、色、字体で文字を印字することで、表示片２４の表示内容を読み取り易くできる。また英語などの外国語で文字を印字することによって、日本語を理解できない外国人にも容易に対応することができる。またユーザが自分の持っている印刷ソフトを用いて表示片２４に印字した場合は、その時々の設定によって印字結果にばらつきができて、見栄えが悪くなる可能性があるが、メータが提供した印刷ソフトを用いれば、印字結果のばらつきを無くすことができ、表示内容の見栄えを良くできるという利点もある。
【００２７】
また本実施形態ではカード１の用途として埋込型の配線器具用のものを例に説明したが、カード１の用途を埋込型の配線器具の用途表示用に限定する趣旨のものではなく、表示片２４の印字内容を変更することで様々な用途に対応でき、またユーザ自身が印字内容を決めて印字することで、所望の用途に使用することができる。
【図面の簡単な説明】
【００２８】
【図１】本実施形態のカードを示し、（ａ）は正面図、（ｂ）はシートと台紙を分離した状態の断面図である。
【図２】同上を用いるスイッチを示し、（ａ）は正面図、（ｂ）は分解斜視図である。
【図３】（ａ）〜（ｃ）は表示片の取付手順を説明する説明図である。
【符号の説明】
【００２９】
１    カード
１０  台紙
１１  基材
１２  第１樹脂層
２０  シート
２１  印字層
２３  第２樹脂層
２４  表示片
２５  切れ目
【図１】
2006184314.tif 000003
【図２】
2006184314.tif 000004
【図３】
2006184314.tif 000005